(57)【要約】【課題】本発明は、洗面ユニットに関し、従来の窓際に洗面台ユニットを配置する場合に、大梁の設計変更が必要となり、床上で給水・排水等の配管を横引いてパイプスペースまで配管すると専用の壁シャフトが必要となり、洗面台の背面をライニングする工法では洗面台のライニング組立工数が多く、いずれも手間が掛かって費用が嵩むことが課題であって、それを解決することである。【解決手段】洗面ユニットを袖壁形式にして構成したものであって、洗面用の洗面器と、左右に離隔されて床面に立設され前記洗面器を支持する袖壁用ライニングパーツとの３つの部材で構成されている洗面ユニット１とするものである。【選択図】図１−Ａ
2019000289.tif 000002
【特許請求の範囲】
【請求項１】
洗面ユニットにおける洗面器を支持する筐体である袖壁用ライニングパーツであって、
前記筐体の内部空間に、床下の大梁を避けて床から立ち上げた給水用配管に接続される一端側接続部と洗面器に接続される他端側接続部とを有する給水管が配管され、
前記筐体の外側壁面に装置組立・配管工事・点検作業用の開口部と該開口部を閉蓋する蓋部材とが設けられ、前記筐体の下部には、水平レベル調節用のベースが一体的に設けられてなること、
を特徴とする洗面ユニットにおける袖壁用ライニングパーツ。
【請求項２】
洗面ユニットにおける洗面器を支持する筐体である袖壁用ライニングパーツであって、
前記筐体の内部空間に、床下の大梁を避けて床から立ち上げた排水用配管に接続される一端側接続部と洗面器からの排水管に接続される他端側接続部とを有する排水管が配管され、
前記筐体の側壁に装置組立・配管工事用の開口部と該開口部を閉蓋する蓋部材とが設けられ、前記筐体の下部には、水平レベル調節用のベースが一体的に設けられてなること、
を特徴とする洗面ユニットにおける袖壁用ライニングパーツ。
【請求項３】
筐体の上部には、洗面器の側縁部が架設される受け部が設けられているとともに洗面器を取着するための固定手段が設けられていること、
請求項１または２に記載の洗面ユニットにおける袖壁用ライニングパーツ。
【請求項４】
ベースは、床面に直接載置される底部に、床下の大梁を避けて床から立ち上げた給水用配管若しくは排水用配管が筐体の内部空間へ直接導入され外部に露出しないようにするための、空間部が設けられてなること、
を特徴とする請求項１乃至３のいずれか１項に記載の洗面ユニットにおける袖壁用ライニングパーツ。
【請求項５】
袖壁用ライニングパーツの背面側の壁面に、左右の袖壁用ライニングパーツに横架されて強度補強する補強平板を取り付けるための、取付手段が設けられていること、
を特徴とする請求項１乃至４のいずれか１項に記載の洗面ユニットにおける袖壁用ライニングパーツ。
【請求項６】
洗面ユニットを袖壁形式にして構成したものであって、洗面用の洗面器と、左右に離隔されて床面に立設され前記洗面器を支持する請求項１および請求項２の袖壁用ライニングパーツとの３つの部材で構成されていること、
を特徴とする洗面ユニット。
【請求項７】
左右の袖壁用ライニングパーツの背面側の壁面に、強度補強用の補強平板が前記壁面に設けられた取付手段によって横架され取り付けられていること、
を特徴とする請求項６に記載の洗面ユニット。
【請求項８】
給水管若しくは排水管を筐体内部の空間に先行配管として配設して予め工場若しくはサイトで製作してプレキャスト化されてなる左右の袖壁用ライニングパーツを形成し、床下の大梁を避けて少なくとも給水管と排水管を床スラブから立ち上げた後、左右の袖壁用ライニングパーツの背面の壁面に補強平板を地組みし、その後、当該左右の袖壁用ライニングパーツを床上の所定の位置に設置し、更に、左右の袖壁用ライニングパーツにおける側壁の開口部から取付工具を差し込んで床に当該袖壁用ライニングパーツを取付け固定し、前記左右の袖壁用ライニングパーツに洗面器を仮置きし、筐体側壁の開口部から工具を差し込んで洗面器用固定手段で前記洗面器を左右の袖壁用ライニングパーツに取付け固定し、前記左右の袖壁用ライニングパーツにおいて少なくとも給水・排水の配管の接続を行い、前記左右の袖壁用ライニングパーツにおける側壁の開口部を蓋固定手段で蓋部材によって閉蓋すること、
を特徴とする洗面ユニットの組立工法。
【請求項９】
左右の袖壁用ライニングパーツの下部には、高さ調節用で筐体とは別部材のベースが取着手段で予め一体的に設けられていること、
を特徴とする請求項８に記載の洗面ユニットの組立工法。
【発明の詳細な説明】
【技術分野】
【０００１】
本発明は、鉄筋コンクリート構造物における洗面ユニットのライニングパーツ、その洗面ユニットの組立工法に関するものである。
【背景技術】
【０００２】
従来、鉄筋コンクリート構造物である、例えば複数階層の病院において、図５（Ａ），（Ｂ）に示すように、一つの病室をカーテンレール９で４つに仕切った４床室１２に設置される洗面ユニット１３において、その洗面ユニット１３の設置構成は入り口付近の設置、若しくは、４床室１２の窓際での設置の２種類に大別される。
【０００３】
かかる場合、仮に図５（Ａ）に示すように、前記洗面ユニット１３を窓際に設置する際、当該洗面ユニット１３の下部の大梁１４ｂに、排水管、給水管、給湯配管等が配置的に重複して干渉することになる。そこで、図６に示すように、前記干渉を避けながら床スラブ１５から前記各種の配管を立ち上げるため、大梁の寸法を例えば、７５０×９５０の大梁１４ｂ（図中にて点線で示す）を、５００×１２００で縦長の大梁１４ａ（図中で実線で示す）に変更する。
【０００４】
そして、前記大梁１４ａを避けて、一例として、ＬＧＳ、給水管５、排水管６などを床スラブ１５から立ち上げる。更に、図７に示すように、背面ライニングとして、排水管、ボード１３ｃと甲板と等によるライニングが設けられている。
【０００５】
なお、先行技術として、特許文献１に記載されているように、洗面ユニットのユニットに関するものとして、箱形のキャビネットタイプのものが知られている。
【先行技術文献】
【特許文献】
【０００６】
【特許文献１】特開２００１−１２８８６７号公報
【発明の概要】
【発明が解決しようとする課題】
【０００７】
しかし、図６に示すように、背面ライニングの場合、配管を床貫通させるために、大梁の変更（１４ｂ→１４ａ）が必要となるという大きな課題がある。また、前記配管用のライニングは、前記梁１４ａと配管との干渉を避けるために、室内側へ張り出し、その結果、壁１６からの出幅寸法が大きくなり、病室内の有効面積を減少させてしまう。床上で排水管や給水管を横引いてパイプスペース（ＰＳ）まで配管する場合には、専用の壁シャフトが必要となってコストが嵩むことになる。更に、ライニングを組む工種が多いので工数が増えて時間が掛かる。梁の高さを大きくすると開口部の高さそのままにするには、階高が大きくなり、全体として建物高さが高くなり、コストアップになる。また、後から洗面台が追加で設置することになった場合は、躯体工事は完了しており、梁の変更ができないので、洗面台が設置できない。
【０００８】
本発明に係る洗面ユニット、該洗面ユニットにおける袖壁用ライニングパーツ、およびその洗面ユニットの組立工法は、このような課題を解決するために提案されたものである。
【課題を解決するための手段】
【０００９】
本発明に係る洗面ユニットにおける袖壁用ライニングパーツの上記課題を解決して目的を達成するための要旨は、洗面ユニットにおける洗面器を支持する筐体である袖壁用ライニングパーツであって、前記筐体の内部空間に、床下の大梁を避けて床から立ち上げた給水用配管に接続される一端側接続部と洗面器に接続される他端側接続部とを有する給水管が配管され、前記筐体の外側壁面に装置組立・配管工事・点検作業用の開口部と該開口部を閉蓋する蓋部材とが設けられ、前記筐体の下部には、水平レベル調節用のベースが一体的に設けられてなることである。
【００１０】
本発明に係る洗面ユニットにおける袖壁用ライニングパーツの上記課題を解決して目的を達成するための要旨は、洗面ユニットにおける洗面器を支持する筐体である袖壁用ライニングパーツであって、前記筐体の内部空間に、床下の大梁を避けて床から立ち上げた排水用配管に接続される一端側接続部と洗面器からの排水管に接続される他端側接続部とを有する排水管が配管され、前記筐体の側壁に装置組立・配管工事用の開口部と該開口部を閉蓋する蓋部材とが設けられ、前記筐体の下部には、水平レベル調節用のベースが一体的に設けられてなることである。
【００１１】
前記筐体の上部には、洗面器の側縁部が架設される受け部が設けられているとともに洗面器を取着するための固定手段が設けられていることである。
【００１２】
ベースは、床面に直接載置される底部に、床下の大梁を避けて床から立ち上げた給水用配管若しくは排水用配管が筐体の内部空間へ直接導入され外部に露出しないようにするための、空間部が設けられてなることである。
【００１３】
前記袖壁用ライニングパーツの背面側の壁面に、左右の袖壁用ライニングパーツに横架されて強度補強する補強平板を取り付けるための、取付手段が設けられていることである。
【００１４】
本発明に係る洗面ユニットの上記課題を解決して目的を達成するための要旨は、洗面ユニットを袖壁形式にして構成したものであって、洗面用の洗面器と、左右に離隔されて床面に立設され前記洗面器を支持する請求項１および請求項２の袖壁用ライニングパーツとの３つの部材で構成されていることである。
【００１５】
前記左右の袖壁用ライニングパーツの背面側の壁面に、強度補強用の補強平板が前記壁面に設けられた取付手段によって横架され取り付けられていることである。
【００１６】
本発明に係る洗面ユニットの組立工法の上記課題を解決して目的を達成するための要旨は、給水管若しくは排水管を筐体内部の空間に先行配管として配設して予め工場若しくはサイトで製作してプレキャスト化されてなる左右の袖壁用ライニングパーツを形成し、床下の大梁を避けて少なくとも給水管と排水管を床スラブから立ち上げた後、左右の袖壁用ライニングパーツの背面の壁面に補強平板を地組みし、その後、当該左右の袖壁用ライニングパーツを床上の所定の位置に設置し、更に、左右の袖壁用ライニングパーツにおける側壁の開口部から取付工具を差し込んで床に当該袖壁用ライニングパーツを取付け固定し、前記左右の袖壁用ライニングパーツに洗面器を仮置きし、側壁の開口部から工具を差し込んで洗面器用固定手段で前記洗面器を左右の袖壁用ライニングパーツに取付け固定し、前記左右の袖壁用ライニングパーツにおいて少なくとも給水・排水の配管の接続を行い、前記左右の袖壁用ライニングパーツにおける側壁の開口部を蓋固定手段で蓋部材によって閉蓋することである。
【００１７】
前記左右の袖壁用ライニングパーツの下部には、高さ調節用で筐体とは別部材のベースが取着手段で予め一体的に設けられていることを含むものである。
【発明の効果】
【００１８】
本発明に係る洗面ユニットにおける袖壁用ライニングパーツ、洗面ユニットとその組立工法によれば、袖壁用ライニングパーツを使用することで、窓際の梁の上に洗面ユニットを設置する場合でも、大梁の設計変更が不要となり、且つ、室内への出幅寸法を極力抑えることができる。
【００１９】
また、袖壁用ライニングパーツのプレキャスト化により、多くの職種による現場でのライニング工事が不要となり、工数の低減となる。更に、洗面ユニットは、洗面器と左右のライニングパーツとの合計３つの部材で構成されており、部品管理が容易となるとともに、組立作業の工数が低減すると言う優れた効果を奏するものである。
【図面の簡単な説明】
【００２０】
【図１−Ａ】本発明に係る洗面ユニット１の設置状態における正面図（Ａ）、同右側の開口部３ｅを開けた状態の側面図（Ｂ）である。
【図１−Ｂ】筐体の一部断面図である。
【図２−Ａ】同本発明に係る洗面ユニット１における、ベース１０の構造を示す分解斜視図（Ａ）、使用状態のベース１０の断面図である。
【図２−Ｂ】同ベース１０を左右に配置して、捨てバー１０ｆで高さ調整する様子を示す平面図（Ａ）、正面図（Ｂ）である。
【図３】同本発明に係る洗面ユニット１を設置する躯体の配管工事（立上げ芯）の墨出しを示す平面図である。
【図４】本発明に係る洗面ユニット１の組立工法を説明する、組立途中図（Ａ）、組立完成した状態の斜視図（Ｂ）である。
【図５】従来例に係る洗面ユニット１３の、４床室１２における洗面ユニット１３の配置図（Ａ）、同洗面ユニット１３の一部拡大配置図（Ｂ）である。
【図６】同従来例に係る洗面ユニット１３の使用状態における一部縦断面図である。
【図７】同従来例に係る洗面ユニット１３の使用状態を示す一部拡大縦断面図（Ａ）、同正面図（Ｂ）である。
【発明を実施するための形態】
【００２１】
本発明に係る洗面ユニット１は、図１に示すように、大梁の変更無く、且つ、洗面ユニットを袖壁形式にしてプレキャスト化したものである。
【実施例１】
【００２２】
前記洗面ユニット１は、図１に示すように、洗面用の洗面器２と、これを支持する左右の袖壁である袖壁用ライニングパーツ３ａ、袖壁用ライニングパーツ３ｂとで構成されている。
【００２３】
前記洗面器２は、従来と同様であるので詳細な説明を省き、前記左右の袖壁用ライニングパーツ３ａ，３ｂについて説明する。
【００２４】
前記袖壁用ライニングパーツ３ａ，３ｂは、洗面ユニット１における洗面器２を支持する左右に配置された筐体３ｃ，３ｄである。この筐体３ｃ，３ｄは、概略左右対称であるが、その内部の配管や管用開口部・配線用開口部などの位置が異なるので、別々に説明する。
【００２５】
まず、図１−Ａ（Ａ）において、図面左側の袖壁用ライニングパーツ３ａについて説明する。前記袖壁用ライニングパーツ３ａは、例えば鋼板製であって矩形状の筐体３ｃで構成されている。その筐体３ｃの大きさは、一例として、幅が約１００ｍｍ、高さが約６７０ｍｍ、奥行きが約５００ｍｍである。
【００２６】
前記筐体３ｃの内部空間に、図１−Ａ（Ａ），（Ｂ）に示す床下の大梁４を避けて床から立ち上げた給水用配管に接続される一端側接続部と温水器７に接続される他端側接続部とを有する給水管５が配管されている。
【００２７】
更に、前記筐体３ｃの外側壁面（図示せず、図１−Ａ（Ｂ）に示す開口部３ｅと同じ大きさで対称位置にある）に装置組立・配管工事用の開口部３ｅと該開口部３ｅを閉蓋する蓋部材３ｆ（図１−Ｂ参照）とが設けられる。なお、蓋部材３ｆは、洗面ユニット１の組立工程において、筐体３ｃの開口部３ｅに最後に取付けられるので、部品として洗面ユニット１に添付されるものである。
【００２８】
前記筐体３ｃの下部には、水平レベル調節用で袖壁用ライニングパーツ３ａ用のベース１０が一体的に設けられている。この筐体３ｃの下部の底面には、内外に貫通する開口部が適宜に設けられ、配管が貫通して設置できるようにされている。
【００２９】
前記ベース１０は、図２−Ａ（Ａ）に示すように、金属製で、例えば鋼製の断面コ字形のチャンネル１０ａ，１０ｂを向かい合わせて対向させ、図２−Ａ（Ｂ）に示すように、その間を２枚の連結材１０ｃでチャンネル１０ａ，１０ｂの下部底部を互いに溶接手段などで連結・固着したものである。ベース１０の前方および後方の壁面は、蓋部材を用意して、一体に固着して
【００３０】
図２−Ｂ（Ａ）に示すように、前記ベース１０におけるコ字形のチャンネル１０ａ，１０ｂが所要幅の前記連結材１０ｃで前後に離間されて連結される。床面に直接載置される底部に、床下の大梁４を避けて床から立ち上げた給水用配管５が筐体３ｃの内部空間へ直接導入され外部に露出しないようにするための、空間部として給水スペース１０ｇが前方に形成される。
【００３１】
前記ベース１０の大きさは、図２−Ａに示すように、一例として幅が約１００ｍｍ、高さが約６５ｍｍ、奥行きが約５００ｍｍである。このベース１０を、前記筐体３ｃに一体的に取り付けるには、例えば、ネジ手段で取り付けたり、予め工場やサイトでスポット溶接等で取り付けたりする取着手段で、施工するものである。
【００３２】
なお、上記一実施例に限らず、前記ベース１０を、図２−Ｂ（Ａ），（Ｂ）に示すように、床スラブ１５に先に仮締めして取付け、更に、同図に示すように、捨てバー１０ｆを使用して下部にライナー等を差し込んで高さ調節し、固定手段１０ｅで床スラブ１５に前記ベース１０を固定した後、当該ベース１０の上に、前記筐体３ｃを設置して、ネジ等の取着手段で開口部３ｅから工具を差し込んで、袖壁用ライニングパーツ３ａとベース１０との取付・固定作業を施工して一体化してもよい。
【００３３】
次に、図１−Ａ（Ａ）において、図面右側の前記袖壁用ライニングパーツ３ｂは、前記袖壁用ライニングパーツ３ａと同様に、洗面ユニット１における洗面器２を支持する袖壁用の筐体３ｄで形成されている。
【００３４】
前記筐体３ｄは、前記筐体３ｃと同じ材質、大きさであり、その内部空間に、床下の大梁４を避けて床スラブ１５から立ち上げた排水用配管に接続される一端側接続部と洗面器２からの排水管に接続される他端側接続部とを有する排水管６が配管されている。
【００３５】
図１−Ａ（Ｂ）に示すように、前記筐体３ｄの側壁に装置組立・配管工事用の開口部３ｅと該開口部３ｅを閉蓋する蓋部材３ｆ（図１−Ｂ参照）とが設けられ、前記筐体３ｄの下部には、水平レベル調節用のベース１０が一体的に設けられてなる。
【００３６】
前記筐体３ｄの上部は、洗面器２用の受け部になっていて、洗面器２の側縁部が載置されて、左右の袖壁用ライニングパーツ３ａ，３ｂに架設されるとともに、取付け固定するため、洗面器用の固定手段（ネジ用の貫通孔等）が設けられている。
【００３７】
図２−Ｂ（Ａ）に示すように、前記袖壁用ライニングパーツ３ｂ用のベース１０は、床面に直接載置される底部に、床下の大梁４を避けて床から立ち上げた排水用配管６が筐体３ｄの内部空間へ直接導入され外部に露出しないようにするための、空間部として排水スペース１０ｈが設けられてなる。
【００３８】
また、前記袖壁用ライニングパーツ３ａ用のベース１０と同様に、この袖壁用ライニングパーツ３ｂ用のベース１０も、図２−Ａ、図２−Ｂに示すように、先に床スラブ１５側にベース１０を固定して、後で、右用の袖壁用ライニングパーツ３ｂの筐体３ｄを前記ベース１０の上に載置して、取付・固定手段で取り付けて一体化させても良い。
【００３９】
その場合、図２−Ｂに示すように、左右のベース１０，１０を先に床スラブ１５に載置して、捨てバー１０ｆで高さのレベル調整を行い、その後に、左右の袖壁用ライニングパーツ３ａ，３ｂをそれぞれ左右のベース１０、１０の上に載置して、取着手段（ネジ、溶接など）で取付・固定するようにしても良い。
【００４０】
前記左右の袖壁用ライニングパーツ３ａ，３ｂには、共通して、図４（Ａ）に示すように、当該袖壁用ライニングパーツ３ａ，３ｂの背面側の壁面に、左右の袖壁用ライニングパーツに横架されて強度補強する補強平板３ｈを取り付けるための、取付手段が設けられている。
【００４１】
更に、前記左右の袖壁用ライニングパーツ３ａ，３ｂにおける背面側の壁面を、壁１６（図５参照）の仕上げボード１３ｃ等にビス止め等で固定して補強するための、前記筐体３ｃ，３ｄの背面側の壁面に固定用孔が穿設されている。
【００４２】
以上のように、本発明に係る洗面ユニット１は、洗面ユニットを袖壁形式にして構成したものであって、洗面用の洗面器２と、左右に離隔されて床面に立設され前記洗面器２を支持する前記袖壁用ライニングパーツ３ａ，３ｂとの３つの部材で構成されている。
【００４３】
前記左右の袖壁用ライニングパーツ３ａ，３ｂの背面側の壁面に、図４（Ａ）に示すように、強度補強用の補強平板３ｈが前記壁面に設けられた取付手段によって横架され取り付けられている。
【００４４】
本発明に係る洗面ユニット１の組立工法について説明する。まず、図３に示すように、床下の大梁４を避けて少なくとも給水管用の床スリーブ（一例として１００φ）と排水管用の床スリーブ（同１００φ）を床スラブ１５から立ち上げる。更に、温水器電源用のＣＤ管（例えば１６φ）等を床スラブ１５に敷設した後、墨出しして、ｂ位置に給水管（一例としてＰＦ管）を立ち上げ、排水管（一例としてＶＰ５０Ａ）を立ち上げる。コンセント用ケーブルを管に通線する。天井、壁、床の仕上げ工事を完了させる。
【００４５】
次に、洗面ユニット１設置前の事前作業として、予め先行配管として、給水管（ＶＰ２０）５若しくは排水管（ＶＰ５０Ａ）６を筐体３ｃ，３ｄ内部の空間に配設してある状態に、前記筐体３ｃに温水器７本体用の取付金具を取り付けて、予め工場若しくはサイトで製作しプレキャスト化されてなる、左右の袖壁用ライニングパーツ３ａ，３ｂを形成しておく。
【００４６】
洗面ユニット１の設置作業として、床スラブ１５の所定の位置に転用可能な型紙でアンカー位置の墨出しを行い、そこに穿設した孔に、左右のベース１０取付用の、アンカー（拡張部）１０ｄを打ち込む。
【００４７】
このアンカーは、あと施工アンカーであり、前記アンカー（拡張部）１０ｄに頭付きアンカーボルトを締め込んで拡張させて対象部材を固定する場合、若しくは、アンカーボルトを前記アンカー（拡張部）１０ｄに植設して、前記アンカーボルトの上端部にナット締めして対象部材を固定する場合の両施工方法がある。
【００４８】
左右の袖壁用ライニングパーツ３ａ，３ｂおよびこれらに一体的に取り付けられたベース１０とを、床上の所定の位置に仮置きして設置する。また、補強平板３ｈを左右の袖壁用ライニングパーツ３ａ，３ｂの背面の壁面に取り付ける。なお、前記補強平板３ｈを先に袖壁用ライニングパーツ３ａ，３ｂに地組して架設し、その後、袖壁用ライニングパーツ３ａ，３ｂを左右のベース１０，１０の上に載置するようにしても良い。
【００４９】
また、図１−Ａ（Ｂ）に示すように、左右の袖壁用ライニングパーツ３ａ，３ｂにおける筐体３ｃ，３ｄの背面を、壁側の仕上げボード１３ｃに例えば３箇所にビス止めして補強する。これに代えて、前記補強平板３ｈを前記仕上げボード１３ｃにビス止めするようにしても良く、それにより工事がし易くなる。
【００５０】
なお、前記袖壁用ライニングパーツ３ａ，３ｂとベース１０，１０とを一体的にして、床スラブ１５に取り付けるように説明したが、左右のベース１０，１０を先に床スラブ１５の床面上に固定手段１０ｅで固定する場合には、該ベース１０をアンカー（拡張部）１０ｄに固定し、ライナーを利用して前記ベース１０の高さ調整した後に、左右の袖壁用ライニングパーツ３ａ，３ｂを前記ベース１０，１０にそれぞれ載置する。
【００５１】
そして、前記袖壁用ライニングパーツ３ａ，３ｂの側壁の開口部３ｅから取付工具を差し込んで、前記袖壁用ライニングパーツ３ａ，３ｂを、左右のベース１０，１０に固定手段で取付・固定する。これにより、前記左右の袖壁用ライニングパーツ３ａ，３ｂが床スラブ１５に取付け固定される。このように、左右の袖壁用ライニングパーツ３ａ，３ｂに対して、ベース１０を一体的にして床に取り付けるか、先にベース１０を床に取り付けるか、何れの工法でも良い。
【００５２】
その後、前記左右の袖壁用ライニングパーツ３ａ，３ｂに架設するように洗面器２を仮置きする。洗面器２のレベル、平行、直角を確認する。その後、袖壁用ライニングパーツ３ａ，３ｂにおける側壁の開口部３ｅから工具を差し込んで上向きにビス止めなどの洗面器用固定手段で、洗面器２と袖壁用ライニングパーツ３ａ，３ｂとを取付け固定する。
【００５３】
前記洗面器２の水洗器具と排水管とを、前記袖壁用ライニングパーツ３ａ，３ｂにおける給水管５と、排水管６とを接続する。また、左側の袖壁用ライニングパーツ３ａの内壁に温水器７を設置する。尚、前記温水器７は、袖壁用ライニングパーツ３ａの筐体３ｃに、取付金具を取り付けた際に、該筐体３ｃに先付けすることもできる。
【００５４】
そして、該温水器７と給水管５の接続と施工すると共に、電気配線を行って、コンセント３ｉを開口部に設ける。前記左右の袖壁用ライニングパーツ３ａ，３ｂにおける側壁の開口部３ｅを、図１−Ｂに示すように、蓋固定手段で蓋部材３ｆによって閉蓋する。
【００５５】
このようにして、本発明に係る洗面ユニット１が、プレキャスト化された袖壁用ライニングパーツによって、容易に組み立てられるものである。
【産業上の利用可能性】
【００５６】
本発明に係る洗面ユニットと袖壁用ライニングパーツにより、コンクリート構造物の建物において、洗面ユニットを窓際に配置するために大梁の設計寸法をいびつな形に変更すること無く、外壁からの出幅寸法を抑えて袖壁形式でコンパクトにしたので、広く適用することができる。
【符号の説明】
【００５７】
１          洗面ユニット、
２          洗面器、
３ａ        袖壁用ライニングパーツ（左側）、
３ｂ        袖壁用ライニングパーツ（右側）、
３ｃ        筐体（左側）、                  ３ｄ      筐体（右側）、
３ｅ        開口部、                        ３ｆ      蓋部材、
３ｇ        取付手段（ネジ等）、            ３ｈ      補強平板、
３ｉ        コンセント、
４          大梁、                          
５          給水管、                        
６          排水管、                        
７          温水器、                        
８          病室、                          
９          カーテンレール、
１０        ベース、
１０ａ      チャンネル（左）、              １０ｂ        チャンネル（右）、
１０ｃ      連結材、                        １０ｄ        アンカー（拡張部）、
１０ｅ      固定手段（アンカーボルト、植設ボルト＋ナット）、
１０ｆ      捨てバー、
１０ｇ      給水スペース、                  １０ｈ        排水スペース、  
１１        ＬＮＧ用ガス管、
１２        ４床室、
１３        洗面ユニット、                  １３ａ        洗面器、
１３ｂ      コ字形ライニング、              １３ｃ        仕上げボード、
１４ａ      変形後の大梁、                  １４ｂ        変形前の大梁、
１５        床スラブ、
１６        壁。
【図１−Ａ】
2019000289.tif 000003
【図１−Ｂ】
2019000289.tif 000004
【図２−Ａ】
2019000289.tif 000005
【図２−Ｂ】
2019000289.tif 000006
【図３】
2019000289.tif 000007
【図４】
2019000289.tif 000008
【図５】
2019000289.tif 000009
【図６】
2019000289.tif 000010
【図７】
2019000289.tif 000011